(57)【特許請求の範囲】
【請求項１】
正極または負極の電位である電極電位を参照極を用いて測定することができる非水電解質二次電池の、前記電極電位を推定する電池電極電位推定装置であって、
所定の基準状態において、前記参照極を基準とした電極電位である第一電極電位を取得する第一取得部と、
前記基準状態以降の所定の劣化状態において、前記参照極を基準とした電極電位である第二電極電位を取得する第二取得部と、
取得された前記第一電極電位と前記第二電極電位とを用いて、前記劣化状態において前記参照極を基準として測定される電極電位を補正する電極電位補正部とを備え、
前記第一取得部は、前記基準状態において取得した前記第一電極電位をメモリに書き込み、前記電極電位補正部は、当該メモリから前記第一電極電位を読み出して、前記劣化状態における電極電位を補正する
電池電極電位推定装置。
【請求項２】
前記正極または前記負極は、前記電極電位と電気量との関係を示す電極電位特性において電位平坦部を有し、
前記第一取得部は、前記電位平坦部に対応する充電状態において測定される前記第一電極電位を取得し、
前記第二取得部は、前記電位平坦部に対応する充電状態において測定される前記第二電極電位を取得する
請求項１に記載の電池電極電位推定装置。
【請求項３】
前記電極電位補正部は、
前記第一電極電位から前記第二電極電位を減じた値を電位補正量として算出し、
前記劣化状態における前記参照極を基準として計測される電極電位に、前記電位補正量を加算することで、前記劣化状態における電極電位を補正する
請求項１または２に記載の電池電極電位推定装置。
【請求項４】
前記電極電位補正部は、
算出した前記電位補正量が所定の閾値を超えた場合に、前記劣化状態における電極電位を補正する
請求項３に記載の電池電極電位推定装置。
【請求項５】
非水電解質二次電池と、
前記非水電解質二次電池の電極電位を推定する請求項１〜４のいずれか１項に記載の電池電極電位推定装置と
を備える蓄電システム。
【請求項６】
コンピュータが、正極または負極の電位である電極電位を参照極を用いて測定することができる非水電解質二次電池の、前記電極電位を推定する電池電極電位推定方法であって、
所定の基準状態において、前記参照極を基準とした電極電位である第一電極電位を取得する第一取得ステップと、
前記基準状態以降の所定の劣化状態において、前記参照極を基準とした電極電位である第二電極電位を取得する第二取得ステップと、
取得された前記第一電極電位と前記第二電極電位とを用いて、前記劣化状態において前記参照極を基準として測定される電極電位を補正する電極電位補正ステップとを含み、
前記第一取得ステップでは、前記基準状態において取得された前記第一電極電位をメモリに書き込み、前記電極電位補正ステップでは、当該メモリから前記第一電極電位を読み出して、前記劣化状態における電極電位を補正する
電池電極電位推定方法。
【請求項７】
正極または負極の電位である電極電位を参照極を用いて測定することができる非水電解質二次電池の、前記電極電位を推定する集積回路であって、
所定の基準状態において、前記参照極を基準とした電極電位である第一電極電位を取得する第一取得部と、
前記基準状態以降の所定の劣化状態において、前記参照極を基準とした電極電位である第二電極電位を取得する第二取得部と、
取得された前記第一電極電位と前記第二電極電位とを用いて、前記劣化状態において前記参照極を基準として測定される電極電位を補正する電極電位補正部とを備え、
前記第一取得部は、前記基準状態において取得した前記第一電極電位をメモリに書き込み、前記電極電位補正部は、当該メモリから前記第一電極電位を読み出して、前記劣化状態における電極電位を補正する
集積回路。
【発明の詳細な説明】
【技術分野】
【０００１】
本発明は、非水電解質二次電池の電極電位を推定する電池電極電位推定装置、電池電極電位推定方法及び蓄電システムに関する。
【背景技術】
【０００２】
世界的な環境問題への取り組みとして、ガソリン自動車から電気自動車への転換が重要になってきている。このため、リチウムイオン二次電池などの非水電解質二次電池を動力源に用いた電気自動車の開発が進められている。
【０００３】
ここで、当該二次電池を有効に活用するためには、当該二次電池の劣化状態を正確に推定することが必要であり、当該劣化状態を正確に推定するためには、当該二次電池の正極または負極の電極電位を正確に測定することが重要である。
【０００４】
このため、従来、当該二次電池の電極電位を正確に推定する技術が提案されている（例えば、特許文献１参照）。特許文献１には、参照極によって測定される電極電位と、参照極に対する電極端面からの距離との関係に基づいて、電極電位の近似式を導出し、当該近似式から電極電位を推定する方法が開示されている。
【先行技術文献】
【特許文献】
【０００５】
【特許文献１】特開２０１０−８６８７３号公報
【発明の概要】
【発明が解決しようとする課題】
【０００６】
しかしながら、上記のような従来の電極電位を推定する技術では、正確に電極電位を推定することができない場合があるという問題がある。
【０００７】
ここで、例えば参照極として金属リチウムを用いた場合において、参照極が電池内部に存在する不純物と反応して、参照極本来が有する電位が徐々に貴に変化し、電極電位を本来よりも卑に見積もってしまう場合がある。そして、特許文献１に開示された技術では、参照極を基準にして電極電位を測定することで電極電位を推定しているが、参照極本来が有する電位が変化すれば、算出される電極電位の値の精度が低下してしまう。
【０００８】
このため、従来の電極電位を推定する技術では、参照極本来が有する電位が変化した場合に、正確に電極電位を推定することができないという問題がある。
【０００９】
本発明は、上記問題を解決するためになされたものであり、リチウムイオン二次電池などの非水電解質二次電池において、参照極本来が有する電位が変化した場合でも、正確に電極電位を推定することができる電池電極電位推定装置、電池電極電位推定方法及び蓄電システムを提供することを目的とする。
【課題を解決するための手段】
【００１０】
上記目的を達成するために、本発明の一態様に係る電池電極電位推定装置は、正極または負極の電位である電極電位を参照極を用いて測定することができる非水電解質二次電池の、前記電極電位を推定する電池電極電位推定装置であって、所定の基準状態において、前記参照極を基準とした電極電位である第一電極電位を取得する第一取得部と、前記基準状態以降の所定の劣化状態において、前記参照極を基準とした電極電位である第二電極電位を取得する第二取得部と、取得された前記第一電極電位と前記第二電極電位とを用いて、前記劣化状態において前記参照極を基準として測定される電極電位を補正する電極電位補正部とを備える。
【００１１】
これによれば、電池電極電位推定装置は、基準状態において参照極を基準とした電極電位である第一電極電位と、劣化状態において参照極を基準とした電極電位である第二電極電位とを取得し、当該第一電極電位と第二電極電位とを用いて、劣化状態において参照極を基準として測定される電極電位を補正する。これにより、電池電極電位推定装置は、基準状態から劣化状態までに参照極本来が有する電位が変化した場合でも、参照極を基準として測定される電極電位を補正することで、正確に電極電位を推定することができる。
【００１２】
また、好ましくは、前記正極または前記負極は、前記電極電位と電気量との関係を示す電極電位特性において電位平坦部を有し、前記第一取得部は、前記電位平坦部に対応する充電状態において測定される前記第一電極電位を取得し、前記第二取得部は、前記電位平坦部に対応する充電状態において測定される前記第二電極電位を取得する。
【００１３】
これによれば、正極または負極は、電極電位特性において電位平坦部を有しており、電池電極電位推定装置は、当該電位平坦部に対応する充電状態において測定される第一電極電位と第二電極電位とを取得する。つまり、電位平坦部では、測定される電極電位は一定の値をとるため、電位平坦部において電極電位を測定することで、ばらつきのない値の電極電位を取得することができる。このため、電池電極電位推定装置は、基準状態及び劣化状態において、電位平坦部において測定される第一電極電位と第二電極電位とを測定することで、ばらつきのない第一電極電位と第二電極電位とを取得することができ、電極電位を正確に補正することができる。
【００１４】
また、好ましくは、前記電極電位補正部は、前記第一電極電位から前記第二電極電位を減じた値を電位補正量として算出し、前記劣化状態における前記参照極を基準として計測される電極電位に、前記電位補正量を加算することで、前記劣化状態における電極電位を補正する。
【００１５】
これによれば、電池電極電位推定装置は、第一電極電位から第二電極電位を減じた値を電位補正量として算出し、劣化状態における参照極を基準として計測される電極電位に、当該電位補正量を加算することで、劣化状態における電極電位を補正する。これにより、電池電極電位推定装置は、複雑な計算を必要とせず、簡易に、劣化状態における電極電位を補正することができる。
【００１６】
また、好ましくは、前記電極電位補正部は、算出した前記電位補正量が所定の閾値を超えた場合に、前記劣化状態における電極電位を補正する。
【００１７】
これによれば、電池電極電位推定装置は、算出した電位補正量が所定の閾値を超えた場合に、劣化状態における電極電位を補正する。つまり、電池電極電位推定装置は、参照極本来が有する電位が許容できる値よりも変化した場合に、電極電位を補正する。これにより、電池電極電位推定装置は、電極電位の推定の精度を維持したまま、電極電位の推定の計算にかかる負荷を低減させることができる。
【００１８】
また、本発明は、このような電池電極電位推定装置として実現することができるだけでなく、当該電池電極電位推定装置が備える特徴的な処理部の処理をステップとする電池電極電位推定方法としても実現することができる。また、本発明は、このような電池電極電位推定装置に含まれる特徴的な処理部を備える集積回路としても実現することができる。
【００１９】
また、本発明は、非水電解質二次電池と、当該非水電解質二次電池の電極電位を推定する電池電極電位推定装置とを備える蓄電システムとして実現することもできる。
【００２０】
また、本発明は、電池電極電位推定方法に含まれる特徴的な処理をコンピュータに実行させるプログラムとして実現したりすることもできる。そして、そのようなプログラムは、ＣＤ−ＲＯＭ等の記録媒体及びインターネット等の伝送媒体を介して流通させることができるのは言うまでもない。
【発明の効果】
【００２１】
本発明によると、リチウムイオン二次電池などの非水電解質二次電池において、参照極本来が有する電位が変化した場合でも、正確に電極電位を推定することができる。
【図面の簡単な説明】
【００２２】
【図１】本発明の実施の形態に係る電池電極電位推定装置を備える蓄電システムの外観斜視図である。
【図２】本発明の実施の形態に係る二次電池の外観斜視図である。
【図３Ａ】電極電位特性における電位平坦部を説明するための図である。
【図３Ｂ】電極電位特性における電位平坦部を説明するための図である。
【図４】本発明の実施の形態に係る電池電極電位推定装置の機能的な構成を示すブロック図である。
【図５】本発明の実施の形態に係る補正用データの一例を示す図である。
【図６】本発明の実施の形態に係る電池電極電位推定装置が二次電池の電極電位を推定する処理の一例を示すフローチャートである。
【図７】本発明の実施の形態に係る電池電極電位推定装置が二次電池の電極電位を推定する処理を説明するための図である。
【図８Ａ】負極における電位平坦部の具体例を示す図である。
【図８Ｂ】負極における電位平坦部の具体例を示す図である。
【図９】本発明の実施の形態に係る電極電位補正部が電極電位を補正する処理の一例を示すフローチャートである。
【図１０】本発明の実施の形態の変形例に係る補正用データの一例を示す図である。
【図１１】本発明の実施の形態の変形例に係る電極電位補正部が電極電位を補正する処理の一例を示すフローチャートである。
【図１２】本発明の実施の形態に係る電池電極電位推定装置を集積回路で実現する構成を示すブロック図である。
【発明を実施するための形態】
【００２３】
以下、図面を参照しながら、本発明の実施の形態に係る電池電極電位推定装置について説明する。なお、以下で説明する実施の形態は、いずれも本発明の好ましい一具体例を示すものである。以下の実施の形態で示される数値、形状、材料、構成要素、構成要素の配置位置及び接続形態、ステップ、ステップの順序などは、一例であり、本発明を限定する主旨ではない。本発明は、特許請求の範囲だけによって限定される。よって、以下の実施の形態における構成要素のうち、本発明の最上位概念を示す独立請求項に記載されていない構成要素については、本発明の課題を達成するのに必ずしも必要ではないが、より好ましい形態を構成するものとして説明される。
【００２４】
（実施の形態）
まず、電池電極電位推定装置１００を備える蓄電システム１０の構成について、説明する。
【００２５】
図１は、本発明の実施の形態に係る電池電極電位推定装置１００を備える蓄電システム１０の外観斜視図である。
【００２６】
同図に示すように、蓄電システム１０は、電池電極電位推定装置１００と、複数の二次電池２００（同図では、１０個の二次電池）と、電池電極電位推定装置１００及び複数の二次電池２００を収容する収容ケース３００とを備えている。
【００２７】
電池電極電位推定装置１００は、複数の二次電池２００の上方に配置され、二次電池２００の電極電位を推定する回路を搭載した回路基板である。具体的には、電池電極電位推定装置１００は、全ての二次電池２００、または複数の二次電池２００のうちのいずれかの二次電池２００に接続されており、当該二次電池２００からの情報を取得して、二次電池２００の電極電位を推定する。
【００２８】
なお、ここでは、電池電極電位推定装置１００は複数の二次電池２００の上方に配置されているが、電池電極電位推定装置１００はどこに配置されていてもよい。この電池電極電位推定装置１００の詳細な機能構成の説明については、後述する。
【００２９】
また、同図では、１０個の矩形状の二次電池２００が配置されて蓄電システムを構成している。なお、二次電池２００の個数は１０個に限定されず、他の複数個数または１個であってもよい。また二次電池２００の形状も特に限定されない。
【００３０】
次に、電池電極電位推定装置１００が接続されている二次電池２００の構成について、説明する。
【００３１】
図２は、本発明の実施の形態に係る二次電池２００の外観斜視図である。なお、同図は、電池ケース内部を透視した図となっている。
【００３２】
二次電池２００は、電気を充電し、また、電気を放電することのできる二次電池であり、より具体的には、リチウムイオン二次電池である。同図に示すように、二次電池２００は、電池容器２１０と、正極端子２２０と、負極端子２３０とを備え、電池容器２１０は、上壁であるふた板２１１を備えている。また、電池容器２１０内方には、発電要素２１２と、正極集電部材２１３と、負極集電部材２１４と、参照極２１５とが配置されている。なお、二次電池２００の電池容器２１０の内部には電解液などの液体が封入されているが、当該液体の図示は省略する。
【００３３】
なお、図１に示された二次電池２００のうち、電池電極電位推定装置１００が接続されていない二次電池２００については、参照極２１５は備えられていなくともよい。
【００３４】
電池容器２１０は、金属からなる矩形筒状で底を備える筐体本体と、当該筐体本体の開口を閉塞する金属製のふた板２１１とで構成されている。また、電池容器２１０は、発電要素２１２等を内部に収容後、ふた板２１１と筐体本体とが溶接等されることにより、内部を密封することができるものとなっている。
【００３５】
発電要素２１２は、詳細な図示は省略するが、正極と負極とセパレータとを備え、電気を蓄えることができる部材である。正極は、アルミニウムからなる長尺帯状の正極集電体シートの表面に正極活物質層が形成されたものである。負極は、銅からなる長尺帯状の負極集電体シートの表面に負極活物質層が形成されたものである。セパレータは、樹脂からなる微多孔性のシートである。そして、発電要素２１２は、負極と正極との間にセパレータが挟み込まれるように層状に配置されたものを全体が長円形状となるように巻き回されて形成されている。
【００３６】
ここで、正極活物質としては、ＬｉＭＰＯ４、ＬｉＭＳｉＯ４、ＬｉＭＢＯ３（ＭはＦｅ、Ｎｉ、Ｍｎ、Ｃｏ等から選択される１種又は２種以上の遷移金属元素）等のポリアニオン化合物、チタン酸リチウム、マンガン酸リチウム等のスピネル化合物、ＬｉＭＯ２（ＭはＦｅ、Ｎｉ、Ｍｎ、Ｃｏ等から選択される１種又は２種以上の遷移金属元素）等のリチウム遷移金属酸化物等を用いることができる。
【００３７】
なお、本発明を適用するにあたり、検出の精度の観点から、電極電位特性が平坦な電位平坦部を有する正極活物質が用いられることが好ましい。具体的には、正極活物質として、ＬｉＦｅＰＯ４やＬｉＭｎＰＯ４、Ｌｉ３Ｖ２（ＰＯ４）３、ＬｉＭｎ０．８Ｆｅ０．２ＰＯ４などを用いたものであることが好ましい。なお、電位平坦部の詳細な説明については、後述する。
【００３８】
また、負極活物質としては、リチウムイオンを吸蔵放出可能な負極活物質であれば、適宜公知の材料を使用できる。例えば、リチウム金属、リチウム合金（リチウム−ケイ素、リチウム−アルミニウム、リチウム−鉛、リチウム−錫、リチウム−アルミニウム−錫、リチウム−ガリウム、及びウッド合金等のリチウム金属含有合金）の他、リチウムを吸蔵・放出可能な合金、炭素材料（例えば黒鉛、難黒鉛化炭素、易黒鉛化炭素、低温焼成炭素、非晶質カーボン等）、ケイ素酸化物、金属酸化物、リチウム金属酸化物（Ｌｉ４Ｔｉ６Ｏ１２等）、ポリリン酸化合物などが挙げられる。
【００３９】
なお、本発明を適用するにあたり、検出の精度の観点から、電極電位特性が平坦な電位平坦部を有する負極活物質が用いられることが好ましい。具体的には、負極活物質として、Ｌｉ４Ｔｉ５Ｏ１２、黒鉛質炭素（Ｇｒａｐｈｉｔｅ）、ソフトカーボンやハードカーボンなどの炭素材料、ＬｉＭｎ２Ｏ４などを用いたものであることが好ましい。
【００４０】
正極端子２２０は、発電要素２１２の正極に電気的に接続された電極端子であり、負極端子２３０は、発電要素２１２の負極に電気的に接続された電極端子である。つまり、正極端子２２０及び負極端子２３０は、発電要素２１２に蓄えられている電気を二次電池２００の外部回路に導出し、また、二次電池２００内部の発電要素２１２に電気を導入するための金属製の電極端子である。また、正極端子２２０及び負極端子２３０は、発電要素２１２の上方に配置されたふた板２１１に取り付けられている。
【００４１】
発電要素２１２は、詳細な図示は省略するが、セパレータと負極と正極と備え、電気を蓄えることができる部材である。正極は、アルミニウムからなる長尺帯状の正極集電体シートの表面に正極活物質層が形成されたものである。負極は、銅からなる長尺帯状の負極集電体シートの表面に負極活物質層が形成されたものである。セパレータは、樹脂からなる微多孔性のシートである。そして、発電要素２１２は、負極と正極との間にセパレータが挟み込まれるように層状に配置されたものを長さ方向に全体が長円形状となるように巻き回されて形成されている。
【００４２】
さらに詳しくは、上記正極と上記負極は、上記セパレータを介し、長尺帯状の幅方向に互いにずらして、当該幅方向に沿う回転軸を中心に長円形状に巻回されている。そして、上記正極及び上記負極は、それぞれのずらす方向の端縁部を活物質の非形成部とすることにより、巻回軸の一端部には、活物質が形成されていない正極集電体であるアルミニウム箔が露出し、巻回軸の他端部には、活物質が形成されていない負極集電体である銅箔が露出している。また、発電要素２１２の巻回軸方向の両端部には正極集電部材２１３及び負極集電部材２１４が上記巻回軸方向と垂直方向に延びて配置されている。
【００４３】
正極集電部材２１３は、発電要素２１２の正極と電池容器２１０の側壁との間に配置され、正極端子２２０と発電要素２１２の正極集電体とに電気的に接続される導電性と剛性とを備えた部材である。なお、正極集電部材２１３は、発電要素２１２の正極集電体と同様、アルミニウムで形成されている。
【００４４】
負極集電部材２１４は、発電要素２１２の負極集電体と電池容器２１０の側壁との間に配置され、負極端子２３０と発電要素２１２の負極集電体とに電気的に接続される導電性と剛性とを備えた部材である。なお、負極集電部材２１４は、発電要素２１２の負極集電体と同様、銅で形成されている。
【００４５】
参照極２１５は、二次電池２００の正極又は負極の電位を測定するための第３の電極であり、発電要素２１２と電池容器２１０との間に配置されている。具体的には、参照極２１５は、ステンレス製の参照極リードの先に金属リチウムを貼付し、金属リチウムだけが露出するように加工されている。
【００４６】
ここで、参照極２１５としては、金属リチウム、リチウム−アルミニウム合金やリチウム−錫合金などのリチウム合金、Ｌｉ４Ｔｉ５Ｏ１２やＬｉＦｅＰＯ４などの電位平坦を有する活物質を適宜Ｌｉを挿入すること等によって電位平坦を示す状態にしたものなど、安定した電位を示すものであれば、どのようなものであってもよい。
【００４７】
また、参照極２１５の配置位置は、電池容器２１０内において発電要素２１２と参照極２１５との間で液絡があれば、どのような位置に配置されていてもよい。
【００４８】
例えば、参照極２１５にセパレータを巻きつける構成でもよい。この場合、液絡を保持する観点から、発電要素２１２に用いられるセパレータを発電要素２１２からはみ出すようにし、これを参照極２１５を包むセパレータとして用いることが望ましい。
【００４９】
また、電池容器２１０と正極端子２２０及び負極端子２３０との間で電気的絶縁がなされている場合には、電池容器２１０を参照極２１５とすることができる。この場合、電池容器２１０の材質としては、例えば、アルミニウム、鉄、ステンレス、ニッケルメッキ鋼板などの金属が挙げられる。また、電池容器２１０が鉄、ステンレス、ニッケルメッキ鋼板などの金属リチウムと反応しないものの場合には、参照極となる金属リチウム参照極を電気的に接続することもできる。
【００５０】
次に、電極電位特性における電位平坦部について、説明する。
【００５１】
図３Ａ及び図３Ｂは、電極電位特性における電位平坦部を説明するための図である。具体的には、図３Ａは、正極活物質としてＬｉＦｅＰＯ４を用いた場合の正極電位を示すグラフであり、図３Ｂは、負極活物質として黒鉛を用いた場合の負極電位を示すグラフである。
【００５２】
まず、二次電池２００の定格容量Ｑ０、電気量ＱにおいてＤＯＤ（Ｄｅｐｔｈ  Ｏｆ  Ｄｉｓｃｈａｒｇｅ）をＤ＝Ｑ／Ｑ０と定義する。そして、Ｄ≧０．１となる区間におけるＤの変化量ΔＤと、正極または負極の開回路電位Ｅ（Ｖ）の平均変化率ΔＥとの比率が、ΔＥ／ΔＤ≦０．０５Ｖを満たす場合に、電極電位特性において電位平坦部を有するとするのが好ましい。また、ΔＥ／ΔＤ≦０．０２Ｖを満たす場合に、当該電位平坦部を有するとするのがさらに好ましい。
【００５３】
例えば、図３Ａに示すように、ΔＤ＝０．２（ＤＯＤ範囲：０．２〜０．４）とした場合に、ＬｉＦｅＰＯ４正極におけるΔＥ／ΔＤは、０．０１０Ｖであった。このため、ＬｉＦｅＰＯ４正極においてＤＯＤ範囲が０．２〜０．４の区間については、電位平坦部を有している。
【００５４】
また、図３Ｂに示すように、ΔＤ＝０．２（ＤＯＤ範囲：０．１〜０．３）とした場合に、黒鉛負極におけるΔＥ／ΔＤは、０．０１５Ｖであった。このため、黒鉛負極においてＤＯＤ範囲が０．１〜０．３の区間については、電位平坦部を有している。
【００５５】
なお、二次電池の定格容量Ｑ０（Ａｈ）は、十分に小さい電流値で放電させたときの放電容量を指すものとし、次のようにして測定されたものを用いることができる。
【００５６】
（１）二次電池をあらかじめ１／２０ＣＡで放電カット電圧３．０Ｖまで放電する。
（２）二次電池を１／２０ＣＡで充電カット電圧４．２Ｖまで定電流充電したのち、４．２Ｖでの定電圧充電を総充電時間３０時間となるまで継続して行う。
（３）二次電池を１／２０ＣＡで放電カット電圧３．０Ｖまで放電し、得られた放電容量をＱ０（Ａｈ）とする。
【００５７】
ただし、１ＣＡの電流値は二次電池の公称容量を基準にするものであり、公称容量１Ａｈの二次電池においては、１ＣＡ＝１Ａである。
【００５８】
また、開回路電位特性（開回路電位曲線）は、二次電池に参照極を設けた状態で上記工程（１）および（２）を実施したのち、以下に示す（３）’の工程を２５回繰り返すことによって得ることができる。
【００５９】
（３）’二次電池を１／２０ＣＡで１時間または放電カット電圧３．０Ｖとなるまで放電したのち、３時間開回路状態で放置し、得られた電位を開回路電位とする。
【００６０】
なお、二次電池から負極を取り出して、別途３端子式セルを組み立てて、単極での開回路電位測定を行うこともできる。
【００６１】
次に、電池電極電位推定装置１００の詳細な機能構成について、説明する。
【００６２】
図４は、本発明の実施の形態に係る電池電極電位推定装置１００の機能的な構成を示すブロック図である。
【００６３】
電池電極電位推定装置１００は、二次電池２００に接続され、二次電池２００の正極または負極の電位である電極電位を推定する装置である。同図に示すように、電池電極電位推定装置１００は、第一取得部１１０、第二取得部１２０、電極電位補正部１３０及び記憶部１４０を備えている。
【００６４】
第一取得部１１０は、所定の基準状態において、参照極２１５を基準とした電極電位である第一電極電位を取得する。ここで、正極または負極は、電極電位と電気量との関係を示す電極電位特性において電位平坦部を有しているのか好ましく、第一取得部１１０は、当該電位平坦部に対応する充電状態において測定される第一電極電位を取得する。
【００６５】
なお、基準状態とは、二次電池２００の電極電位を推定する計算の基準となる状態である。ここで、当該基準状態はどのような状態でもよいが、例えば、二次電池２００の工場出荷時や充放電を開始する時点での状態である。
【００６６】
第二取得部１２０は、基準状態以降の所定の劣化状態において、参照極２１５を基準とした電極電位である第二電極電位を取得する。具体的には、第二取得部１２０は、電位平坦部に対応する充電状態において測定される第二電極電位を取得する。
【００６７】
なお、劣化状態とは、基準状態から二次電池２００が充放電を開始して所定の期間が経過した場合の状態であり、二次電池２００の電極電位を推定したい状態である。
【００６８】
電極電位補正部１３０は、第一取得部１１０が取得した第一電極電位と、第二取得部１２０が取得した第二電極電位とを用いて、劣化状態において参照極２１５を基準として測定される電極電位を補正する。
【００６９】
具体的には、電極電位補正部１３０は、第一電極電位から第二電極電位を減じた値を電位補正量として算出する。そして、電極電位補正部１３０は、劣化状態における参照極２１５を基準として計測される電極電位に、当該電位補正量を加算することで、劣化状態における電極電位を補正する。
【００７０】
記憶部１４０は、二次電池２００の電極電位を推定するための情報を記憶しているメモリである。具体的には、記憶部１４０は、電極電位を補正するための補正用データ１４１を記憶している。
【００７１】
図５は、本発明の実施の形態に係る補正用データ１４１の一例を示す図である。
【００７２】
補正用データ１４１は、電極電位を補正するための情報を示すデータの集まりである。つまり、同図に示すように、補正用データ１４１は、「第一電極電位」及び「第二電極電位」を含むデータテーブルである。
【００７３】
第一取得部１１０は、第一電極電位を取得し、取得した第一電極電位を記憶部１４０に書き込むことで、補正用データ１４１を更新する。また、第二取得部１２０は、第二電極電位を取得し、取得した第二電極電位を記憶部１４０に書き込むことで、補正用データ１４１を更新する。また、電極電位補正部１３０は、記憶部１４０に記憶されている補正用データ１４１から、第一電極電位及び第二電極電位を読み出して、電極電位を補正する。
【００７４】
次に、電池電極電位推定装置１００が二次電池２００の電極電位を推定する処理について説明する。
【００７５】
図６は、本発明の実施の形態に係る電池電極電位推定装置１００が二次電池２００の電極電位を推定する処理の一例を示すフローチャートである。
【００７６】
図７は、本発明の実施の形態に係る電池電極電位推定装置１００が二次電池２００の電極電位を推定する処理を説明するための図である。
【００７７】
まず、図６に示すように、第一取得部１１０は、所定の基準状態において、参照極２１５を基準とした電極電位である第一電極電位を取得する（Ｓ１０２）。
【００７８】
具体的には、図７に示すように、負極は、電極電位特性において電位平坦部を有しており、第一取得部１１０は、当該電位平坦部に対応する充電状態の電気量ｑ１において測定される第一電極電位Ｅ１を取得する。つまり、基準状態においては、参照極２１５の電位は０Ｖであるため、第一取得部１１０は、０Ｖを基準とした第一電極電位Ｅ１を取得する。
【００７９】
なお、同図では、電気量がＱの区間が電位平坦部を有する区間であり、電気量ｑ１は、当該Ｑの区間に含まれる任意の点である。
【００８０】
ここで、上記のＱの区間の具体例について、以下に説明する。
【００８１】
図８Ａ及び図８Ｂは、負極における電位平坦部の具体例を示す図である。具体的には、図８Ａは、負極活物質として黒鉛質炭素（Ｇｒａｐｈｉｔｅ）を用いた場合の負極電位を示すグラフであり、図８Ｂは、負極活物質としてＬｉ４Ｔｉ５Ｏ１２（ＬＴＯ）を用いた場合の負極電位を示すグラフである。
【００８２】
図８Ａに示すように、Ｇｒ負極の場合は、Ｓｔａｇｅ１において比較的長い電位平坦部を有する。また、図８Ｂに示すように、ＬＴＯ負極の場合は、電位平坦部が非常に長いａの範囲を有する。
【００８３】
次に、図６に戻り、第二取得部１２０は、所定の劣化状態において、参照極２１５を基準とした電極電位である第二電極電位を取得する（Ｓ１０４）。
【００８４】
具体的には、図７に示すように、第二取得部１２０は、電位平坦部に対応する充電状態の電気量ｑ２において測定される第二電極電位Ｅ２を取得する。つまり、劣化状態においては、参照極２１５の電位はＸＶであるため、第一取得部１１０は、ＸＶを基準とした第二電極電位Ｅ２を取得する。
【００８５】
なお、電気量ｑ２は、電気量がＱの区間に含まれる点であればよく、電気量ｑ１と同じ値であってもよいし、異なる値であってもよい。
【００８６】
次に、図６に戻り、電極電位補正部１３０は、第一電極電位と第二電極電位とを用いて、劣化状態において参照極２１５を基準として測定される電極電位を補正する（Ｓ１０６）。この電極電位補正部１３０が電極電位を補正する処理の詳細な説明については、後述する。
【００８７】
以上により、電池電極電位推定装置１００が二次電池２００の電極電位を推定する処理は、終了する。
【００８８】
次に、電極電位補正部１３０が電極電位を補正する処理（図６のＳ１０６）について、詳細に説明する。
【００８９】
図９は、本発明の実施の形態に係る電極電位補正部１３０が電極電位を補正する処理の一例を示すフローチャートである。
【００９０】
まず、同図に示すように、電極電位補正部１３０は、第一電極電位から第二電極電位を減じた値を電位補正量として算出する（Ｓ２０２）。具体的には、図７に示すように、電極電位補正部１３０は、第一電極電位Ｅ１から第二電極電位Ｅ２を減じた値を、電位補正量Ｄ（＝Ｅ１−Ｅ２）として算出する。
【００９１】
そして、図９に戻り、電極電位補正部１３０は、劣化状態における参照極２１５を基準として計測される電極電位に、当該電位補正量を加算することで、劣化状態における電極電位を補正する（Ｓ２０４）。なお、本実施の形態では、電極電位補正部１３０は、劣化状態において電極電位を計測するたびに、当該電極電位を補正する。
【００９２】
以上により、電極電位補正部１３０が電極電位を補正する処理（図６のＳ１０６）は、終了する。
【００９３】
以上のように、本発明の実施の形態に係る電池電極電位推定装置１００によれば、基準状態において参照極２１５を基準とした電極電位である第一電極電位と、劣化状態において参照極２１５を基準とした電極電位である第二電極電位とを取得し、当該第一電極電位と第二電極電位とを用いて、劣化状態において参照極２１５を基準として測定される電極電位を補正する。これにより、電池電極電位推定装置１００は、基準状態から劣化状態までに参照極２１５本来が有する電位が変化した場合でも、参照極２１５を基準として測定される電極電位を補正することで、正確に電極電位を推定することができる。
【００９４】
また、正極または負極は、電極電位特性において電位平坦部を有しており、電池電極電位推定装置１００は、当該電位平坦部に対応する充電状態において測定される第一電極電位と第二電極電位とを取得する。つまり、電位平坦部では、測定される電極電位は一定の値をとるため、電位平坦部において電極電位を測定することで、ばらつきのない値の電極電位を取得することができる。このため、電池電極電位推定装置１００は、基準状態及び劣化状態において、電位平坦部において測定される第一電極電位と第二電極電位とを測定することで、ばらつきのない第一電極電位と第二電極電位とを取得することができ、電極電位を正確に補正することができる。
【００９５】
また、電池電極電位推定装置１００は、第一電極電位から第二電極電位を減じた値を電位補正量として算出し、劣化状態における参照極２１５を基準として計測される電極電位に、当該電位補正量を加算することで、劣化状態における電極電位を補正する。これにより、電池電極電位推定装置１００は、複雑な計算を必要とせず、簡易に、劣化状態における電極電位を補正することができる。
【００９６】
そして、このように、劣化状態における電極電位を正確に補正することで、正確な電極電位を取得することができるため、二次電池２００の劣化状態を正確に把握したり、二次電池２００の充放電制御を精度良く行ったりと、様々なことを行うことが可能になる。
【００９７】
（変形例）
次に、本実施の形態の変形例について、説明する。上記実施の形態では、電極電位補正部１３０は、劣化状態において電極電位を計測するたびに、当該電極電位を補正することとした。しかし、本変形例では、電極電位補正部１３０は、電位補正量が所定の閾値を超えた場合に、劣化状態における電極電位を補正する。
【００９８】
なお、本変形例における電池電極電位推定装置１００の構成は、上記の実施の形態における電池電極電位推定装置１００の構成とほぼ同じであるため、詳細な説明は省略し、以下では、異なる点を中心に説明を行う。
【００９９】
まず、記憶部１４０に記憶されている補正用データ１４２について、説明する。
【０１００】
図１０は、本発明の実施の形態の変形例に係る補正用データ１４２の一例を示す図である。
【０１０１】
同図に示すように、補正用データ１４２は、図５に示した補正用データ１４１の「第一電極電位」及び「第二電極電位」に加えて、「閾値」を含むデータテーブルである。
【０１０２】
ここで、「閾値」は、電極電位補正部１３０が電極電位を補正するか否かを判断するための値である。つまり、電極電位補正部１３０は、記憶部１４０に記憶されている補正用データ１４２から閾値を読み出して、電位補正量と比較することで、電極電位を補正する。
【０１０３】
次に、本変形例における電池電極電位推定装置１００が二次電池２００の電極電位を推定する処理について、説明する。なお、本変形例では、図６に示された上記実施の形態の電池電極電位推定装置１００が行う処理のうち、電極電位補正部１３０が電極電位を補正する処理（図６のＳ１０６）が異なるため、当該処理について、詳細に説明する。
【０１０４】
図１１は、本発明の実施の形態の変形例に係る電極電位補正部１３０が電極電位を補正する処理の一例を示すフローチャートである。
【０１０５】
まず、同図に示すように、電極電位補正部１３０は、第一電極電位から第二電極電位を減じた値を電位補正量として算出する（Ｓ３０２）。なお、当該処理は、図９において電極電位補正部１３０が電位補正量を算出する処理（Ｓ２０２）と同様であるため、詳細な説明は省略する。
【０１０６】
次に、電極電位補正部１３０は、算出した電位補正量が所定の閾値を超えたか否かを判断する（Ｓ３０４）。つまり、電極電位補正部１３０は、記憶部１４０に記憶されている補正用データ１４２から閾値を読み出して、電位補正量と比較することで、電位補正量が所定の閾値を超えたか否かを判断する。
【０１０７】
そして、電極電位補正部１３０は、電位補正量が当該閾値を超えたと判断した場合（Ｓ３０４でＹｅｓ）、劣化状態における電極電位を補正する（Ｓ３０６）。つまり、電極電位補正部１３０は、劣化状態における参照極２１５を基準として計測される電極電位に、当該電位補正量を加算することで、劣化状態における電極電位を補正する。
【０１０８】
また、電極電位補正部１３０は、電位補正量が当該閾値を超えていないと判断した場合には（Ｓ３０４でＮｏ）、電極電位を補正することなく、処理を終了する。
【０１０９】
以上により、電極電位補正部１３０が電極電位を補正する処理（図６のＳ１０６）は、終了する。
【０１１０】
以上のように、本実施の形態の変形例に係る電池電極電位推定装置１００によれば、算出した電位補正量が所定の閾値を超えた場合に、劣化状態における電極電位を補正する。つまり、電池電極電位推定装置１００は、参照極２１５本来が有する電位が許容できる値よりも変化した場合に、電極電位を補正する。これにより、電池電極電位推定装置１００は、電極電位の推定の精度を維持したまま、電極電位の推定の計算にかかる負荷を低減させることができる。
【０１１１】
以上、本発明の実施の形態及びその変形例に係る電池電極電位推定装置１００について説明したが、本発明は、この実施の形態及びその変形例に限定されるものではない。
【０１１２】
つまり、今回開示された実施の形態及びその変形例は全ての点で例示であって制限的なものではないと考えられるべきである。本発明の範囲は上記した説明ではなくて特許請求の範囲によって示され、特許請求の範囲と均等の意味及び範囲内での全ての変更が含まれることが意図される。
【０１１３】
例えば、上記実施の形態及びその変形例では、電池電極電位推定装置１００は、負極の電位平坦部において、第一電極電位及び第二電極電位を取得することで、二次電池２００の電極電位を推定することとした。しかし、電池電極電位推定装置１００は、正極の電位平坦部において、第一電極電位及び第二電極電位を取得することで、二次電池２００の電極電位を推定することにしてもよい。
【０１１４】
また、上記実施の形態及びその変形例では、電池電極電位推定装置１００は、電位平坦部において第一電極電位及び第二電極電位を取得することで、二次電池２００の電極電位を推定することとした。しかし、電池電極電位推定装置１００は、電位平坦部でなくとも、同じ電気量のときの第一電極電位及び第二電極電位を取得することで、二次電池２００の電極電位を推定することにしてもよい。つまり、電池電極電位推定装置１００は、同じ電気量のときの第一電極電位及び第二電極電位を取得することができれば、電位補正量を正確に算出することができるため、当該電極電位を正確に推定することができる。
【０１１５】
また、上記実施の形態及びその変形例では、電極電位補正部１３０は、劣化状態において電極電位を計測するたびに、または電位補正量が所定の閾値を超えた場合に、電極電位を補正することとした。しかし、電極電位補正部１３０は、電極電位の計測回数が所定の閾値を超えた場合に電極電位を補正することにしてもよいし、基準状態から所定の期間が経過した場合に電極電位を補正することにしてもよい。
【０１１６】
また、本発明は、二次電池２００と、二次電池２００の電極電位を推定する電池電極電位推定装置１００とを備える蓄電システム１０として実現することもできる。
【０１１７】
また、本発明は、このような電池電極電位推定装置１００として実現することができるだけでなく、電池電極電位推定装置１００が備える特徴的な処理部の処理をステップとする電池電極電位推定方法としても実現することができる。
【０１１８】
また、本発明は、電池電極電位推定方法に含まれる特徴的な処理をコンピュータに実行させるプログラムとして実現したりすることもできる。そして、そのようなプログラムは、ＣＤ−ＲＯＭ等の記録媒体及びインターネット等の伝送媒体を介して流通させることができるのは言うまでもない。
【０１１９】
また、本発明に係る電池電極電位推定装置１００が備える各処理部は、集積回路であるＬＳＩ（Ｌａｒｇｅ  Ｓｃａｌｅ  Ｉｎｔｅｇｒａｔｉｏｎ）として実現されてもよい。例えば、図１２に示すように、本発明は、第一取得部１１０、第二取得部１２０及び電極電位補正部１３０を備える集積回路１５０として実現することができる。図１２は、本発明の実施の形態に係る電池電極電位推定装置１００を集積回路で実現する構成を示すブロック図である。
【０１２０】
なお、集積回路１５０が備える各処理部は、個別に１チップ化されても良いし、一部または全てを含むように１チップ化されても良い。
【０１２１】
ここでは、ＬＳＩとしたが、集積度の違いにより、ＩＣ、システムＬＳＩ、スーパーＬＳＩ、ウルトラＬＳＩと呼称されることもある。
【０１２２】
また、集積回路化の手法はＬＳＩに限るものではなく、専用回路または汎用プロセッサで実現してもよい。ＬＳＩ製造後に、プログラムすることが可能なＦＰＧＡ（Ｆｉｅｌｄ  Ｐｒｏｇｒａｍｍａｂｌｅ  Ｇａｔｅ  Ａｒｒａｙ）や、ＬＳＩ内部の回路セルの接続や設定を再構成可能なリコンフィギュラブル・プロセッサを利用しても良い。
【０１２３】
さらには、半導体技術の進歩または派生する別技術によりＬＳＩに置き換わる集積回路化の技術が登場すれば、当然、その技術を用いて機能ブロックの集積化を行ってもよい。バイオ技術の適応等が可能性としてあり得る。
【産業上の利用可能性】
【０１２４】
本発明は、リチウムイオン二次電池などの非水電解質二次電池において、参照極本来が有する電位が変化した場合でも、正確に電極電位を推定することができる電池電極電位推定装置等に適用できる。
【符号の説明】
【０１２５】
１０  蓄電システム
１００  電池電極電位推定装置
１１０  第一取得部
１２０  第二取得部
１３０  電極電位補正部
１４０  記憶部
１４１、１４２  補正用データ
１５０  集積回路
２００  二次電池
２１０  電池容器
２１１  ふた板
２１２  発電要素
２１３  正極集電部材
２１４  負極集電部材
２１５  参照極
２２０  正極端子
２３０  負極端子
３００  収容ケース
【図１】
0005842611.tif 000002
【図２】
0005842611.tif 000003
【図３Ａ】
0005842611.tif 000004
【図３Ｂ】
0005842611.tif 000005
【図４】
0005842611.tif 000006
【図５】
0005842611.tif 000007
【図６】
0005842611.tif 000008
【図７】
0005842611.tif 000009
【図８Ａ】
0005842611.tif 000010
【図８Ｂ】
0005842611.tif 000011
【図９】
0005842611.tif 000012
【図１０】
0005842611.tif 000013
【図１１】
0005842611.tif 000014
【図１２】
0005842611.tif 000015